(57)【要約】【課題】  簡単な構成で、鏡像を生成し、イメージローテーターを構成することが可能であり、瞳分割や瞳拡大等の瞳操作を行う光学系を提供する。【解決手段】  中心軸に対して回転非対称な少なくとも２つの光学素子からなる光学系において、中心軸を含む第１断面と中心軸を含み第１断面と交差する第２断面で、結像回数が異なることを特徴とする。【選択図】図１
2011128328.tif 000002
【特許請求の範囲】
【請求項１】
中心軸に対して回転非対称な少なくとも２つの光学素子からなる光学系において、
中心軸を含む第１断面と中心軸を含み第１断面と交差する第２断面で、結像回数が異なることを特徴とする光学系。
【請求項２】
前記第１断面の結像回数は１回で、前記第２断面では結像しないことを特徴とする請求項１に記載の光学系。
【請求項３】
前記光学系は、アフォーカル系であり、以下の条件式（１）を満足することを特徴とする請求項２に記載の光学系。
０．５＜｜β１／β２｜＜２                          ・・・（１）
ただし、β１は前記第１断面のアフォーカル倍率、
β２は前記第２断面のアフォーカル倍率、
である。
【請求項４】
前記光学系は、焦点距離を有する有限系であり、以下の条件式（２）を満足することを特徴とする請求項２に記載の光学系。
０．３＜｜Ｆ１／Ｆ２｜＜２                          ・・・（２）
ただし、Ｆ１は前記第１断面の焦点距離、
Ｆ２は前記第２断面の焦点距離、
である。
【請求項５】
前記第１断面の結像位置に前記第１断面内のみに拡散性のある拡散光学素子を配置することを特徴とする請求項２乃至請求項４のいずれか１つに記載の光学系。
【請求項６】
前記拡散光学素子は、レンチキュラーシートであることを特徴とする請求項５に記載の光学系。
【請求項７】
前記第１断面の結像位置に前記第１断面内のみに少なくとも２方向の屈折作用のある屈折光学素子を配置することを特徴とする請求項２乃至請求項４のいずれか１つに記載の光学系。
【請求項８】
前記屈折光学素子は、プリズムシートであることを特徴とする請求項５に記載の光学系。
【請求項９】
請求項１乃至請求項８のいずれか１つに記載の前記光学系を、前記中心軸を中心として回転させる機構を有することを特徴とする光学装置。
【発明の詳細な説明】
【技術分野】
【０００１】
本発明は、イメージローテーターや瞳分割をする光学系に関し、特に、任意の２断面で結像回数の異なる回転非対称な光学系に関するものである。
【背景技術】
【０００２】
従来、特許文献１、２に開示されたようなシリンドリカルレンズを用い、照明光学系の強度分布を均質化する光学系が知られている。また、アナモルフィックレンズやシルンドリカルレンズを用いたシネスコープレンズが知られている。シネスコープレンズは、縦断面や横断面でパワーの異なるアフォーカル光学系を構成して、アフォーカル光学系を通常の結像光学系の先端に取り付け横画角を圧縮して記録する方式のフィルム動画カメラである（特許文献３参照）。映写時は同じ光学系を使用して、横方向に圧縮されて記録された映像を横方向のみ拡大して投影するものである。
【先行技術文献】
【特許文献】
【０００３】
【特許文献１】特開２００６−２１５１３１号公報
【特許文献２】特表２００８−５２７４３０号公報
【特許文献３】特開平２−１７０７９０号公報
【発明の概要】
【発明が解決しようとする課題】
【０００４】
特許文献１又は２に記載された技術は、像を形成するものではなく、結像回数が任意の２断面で異なるものでもない。また、特許文献３に記載された技術は、アフォーカル倍率が任意の２断面で異なるもので結像回数まで異なるものではなかった。さらに、一般的なH.W.ドーブのプリズムによるイメージローテーターは、大きくて重いものが多かった。
【０００５】
本発明は、簡単な構成で、鏡像を生成し、イメージローテーターを構成することが可能であり、瞳分割や瞳拡大等の瞳操作を行う光学系を提供する。
【課題を解決するための手段】
【０００６】
光学系は、中心軸に対して回転非対称な少なくとも２つの光学素子からなり、中心軸を含む第１断面と中心軸を含み第１断面と交差する第２断面で、結像回数が異なることを特徴とする。
【０００７】
また、前記第１断面の結像回数は１回で、前記第２断面では結像しないことを特徴とする。
【０００８】
また、前記光学系は、アフォーカル系であり、以下の条件式（１）を満足することを特徴とする。
０．５＜｜β１／β２｜＜２                          ・・・（１）
ただし、β１は前記光学系の前記第１断面でのアフォーカル倍率、
β２は前記光学系の前記第２断面でのアフォーカル倍率、
である。
【０００９】
また、前記光学系は、焦点距離を有する有限系であり、以下の条件式（２）を満足することを特徴とする。
０．３＜｜Ｆ１／Ｆ２｜＜２                          ・・・（２）
ただし、Ｆ１は前記光学系の前記第１断面での焦点距離、
Ｆ２は前記光学系の前記第２断面での焦点距離、
である。
【００１０】
また、前記第１断面の結像位置に前記第１断面内のみに拡散性のある拡散光学素子を配置することを特徴とする。
【００１１】
また、前記拡散光学素子は、レンチキュラーシートであることを特徴とする。
【００１２】
また、前記第１断面の結像位置に前記第１断面内のみに少なくとも２方向の屈折作用のある屈折光学素子を配置することを特徴とする。
【００１３】
また、前記屈折光学素子は、プリズムシートであることを特徴とする。
【００１４】
また、光学装置は、前記光学系を、前記中心軸を中心として回転させる機構を有することを特徴とする。
【発明の効果】
【００１５】
光学系においては、簡単な構成で、鏡像を生成し、イメージローテーターを構成することが可能であり、瞳分割や瞳拡大等の瞳操作を行う光学系を提供することが可能となる。
【図面の簡単な説明】
【００１６】
【図１】本発明の実施例１の光学系の中心軸に沿ってとった第１の断面図である。
【図２】図１に直交する第２の断面図である。
【図３】本発明の実施例２の光学系の中心軸に沿ってとった第１の断面図である。
【図４】図３に直交する第２の断面図である。
【図５】本発明の実施例３の光学系の中心軸に沿ってとった第１の断面図である。
【図６】図５に直交する第２の断面図である。
【図７】本発明の実施例４の光学系の中心軸に沿ってとった第１の断面図である。
【図８】図７に直交する第２の断面図である。
【図９】本発明の実施例５の光学系の中心軸に沿ってとった第１の断面図である。
【図１０】図９に直交する第２の断面図である。
【図１１】本発明の実施例６の光学系の中心軸に沿ってとった第１の断面図である。
【図１２】図１１に直交する第２の断面図である。
【発明を実施するための形態】
【００１７】
以下、実施例に基づいて光学系について説明する。
【００１８】
図１は、本実施形態の光学系である。
【００１９】
本実施形態の光学系は、中心軸に対して回転非対称な少なくとも２つの光学素子からなる光学系において、中心軸を含む第１断面と中心軸を含み第１断面と交差する第２断面で、結像回数が異なること好ましい。
【００２０】
少なくとも２つの光学素子は、第１断面に比較的強い正のパワーを有する断面を一致させ、第２断面に比較的パワーを有さない断面を一致させる。
【００２１】
また、第１断面の結像回数は１回で、第２断面では結像しないことが好ましい。
【００２２】
結像回数の組み合わせとしては、第１断面が奇数回、第２断面が偶数回が望ましく、光学系を簡単な構成で軽量化することが重要な場合に、第１断面の結像回数を１回とし、第２断面で結像しない組み合わせとするとよい。
【００２３】
また、光学系は、アフォーカル系であり、以下の条件式（１）を満足することが好ましい。
０．５＜｜β１／β２｜＜２                          ・・・（１）
ただし、β１は前記光学系の前記第１断面でのアフォーカル倍率、
β２は前記光学系の前記第２断面でのアフォーカル倍率、
である。
【００２４】
条件式（１）の上限を上回る又は下限を下回ると、形成される像の非点収差が大きくなってしまうので、好ましくない。
【００２５】
さらに、アフォーカル系の場合、以下の条件式（Ａ）を満足することが好ましい。
０．８＜ｄ／（ｆ１＋ｆ２）＜１．２                  ・・・（Ａ）
ただし、ｆ１は第１の光学素子の第１断面の焦点距離、
ｆ２は第２の光学素子の第１断面の焦点距離、
ｄは２つの光学素子の間隔、
である。
【００２６】
条件式（Ａ）の上限を上回る又は下限を下回ると、第１断面がアフォーカル系からずれてしまい、非点収差が発生してしまうので、好ましくない。
【００２７】
また、光学系は、焦点距離を有する有限系であり、以下の条件式（２）を満足することが好ましい。
０．３＜｜Ｆ１／Ｆ２｜＜２                          ・・・（２）
ただし、Ｆ１は前記光学系の前記第１断面での焦点距離、
Ｆ２は前記光学系の前記第２断面での焦点距離、
である。
【００２８】
条件式（２）の上限を上回る又は下限を下回ると、形成される像の非点収差が大きくなってしまうので、好ましくない。
【００２９】
また、第１断面の結像位置に第１断面内のみに拡散性のある拡散光学素子を配置することが好ましい。
【００３０】
第１断面の結像位置では第１断面内の結像のみ行われており、この第１断面にのみ拡散性を有する拡散光学素子を配置すると、像には影響せずに光束が拡散される。一方第２断面内では拡散性を有さないため光線はそのまま直進することになる。そこで１方向のみの瞳拡大を行うことが可能となる。
【００３１】
また、拡散光学素子は、レンチキュラーシートであることが好ましい。
【００３２】
レンチキュラーシートの溝の方向と第１断面を直交することにより、第１断面内での瞳拡大が可能となる。
【００３３】
さらに好ましくは、レンチキュラーシートのピッチは、撮像素子又は表示素子に結像又は投影されるピッチより細かくすることが望ましい。これにより、レンチキュラーシートのピッチを目立たなくし、鮮明な像を形成することが可能となる。
【００３４】
また、第１断面の結像位置に第１断面内のみに少なくとも２方向の屈折作用のある屈折光学素子を配置することが好ましい。
【００３５】
第１断面の結像位置では第１断面の結像のみ行われており、第１断面内でのみ複数方向に屈折作用を有する屈折光学素子を配置すると、像には影響せずに光束が屈折分割される。一方、第２断面内では拡散性を有さないため、光線はそのまま直進することになる。そこで第１断面方向に瞳分割を行うことが可能となる。
【００３６】
また、屈折光学素子は、プリズムシートであることが好ましい。
【００３７】
プリズムシートの溝の方向と第１断面を直交することにより、第１断面内での瞳拡大が可能となる。
【００３８】
さらに好ましくは、プリズムシートのピッチは、撮像素子又は表示素子に結像又は投影されるピッチより細かくすることが望ましい。これにより、プリズムシートのピッチを目立たなくし、鮮明な像を形成することが可能となる。
【００３９】
前記光学系を、前記中心軸を中心として回転させる機構を有することが好ましい。
【００４０】
本実施形態のように鏡像を作る光学系は、光学系全体をθ回転することにより像は２倍の２θ回転する。そこで、回転非対称光学系全体を、中心軸を中心として歯車などで回転することにより、任意の角度に像を回転するイメージローテーターを構成することが可能である。
【００４１】
以下に、本発明にかかる光学系の実施例１〜実施例６を説明する。これら光学系の構成パラメータは後記する。
【００４２】
各実施例の光学系を構成する光学作用面の中、特定の面とそれに続く面が共軸光学系を構成する場合には面間隔が与えられており、その他、面の曲率半径、媒質の屈折率、アッベ数が慣用法に従って与えられている。
【００４３】
また、屈折率、アッベ数については、ｄ線（波長５８７．５６ｎｍ）に対するものを表記してある。長さの単位はｍｍである。
【００４４】
実施例１の光学系１の第１の断面図を図１、光学系１の第２の断面図を図２に示す。
【００４５】
光学系１は、第１の光学素子Ｌ１と、第２の光学素子Ｌ２と、絞りＳとからなる。
【００４６】
第１の光学素子Ｌ１は、中心軸２の周りで回転非対称な屈折率が１より大きい樹脂等からなり、遠方の物体面からの光束が入射し平面からなる第１透過面１１と、第１透過面１１に対して絞りＳと反対側に配置されたシリンドリカル面からなる第２透過面１２とを有する。
【００４７】
第２の光学素子Ｌ２は、中心軸２の周りで回転非対称な屈折率が１より大きい樹脂等からなり、第１の光学素子Ｌ１からの光束が入射しシリンドリカル面からなる第３透過面２１と、第３透過面２１に対して絞りＳと反対側に配置された平面からなる第４透過面２２とを有する。
【００４８】
光学系１において、物体面から入射する光束は、まず絞りＳを通過し、第１の光学素子Ｌ１の第１透過面１１から入射し、第２透過面１２から出射した後、第１断面内の結像面ＩＦで結像し、第２の光学素子Ｌ２の第３透過面２１から入射し、第４透過面２２から出射する。
【００４９】
この実施例１の仕様は、
画角（収差表示）      上下10°
入射瞳径              10.00mm
である。
【００５０】
実施例２は、実施例１の第１の光学素子Ｌ１と第２の光学素子Ｌ２の間に中間光学素子ＬＭを配置したものである。実施例２の光学系１の第１の断面図を図３、光学系１の第２の断面図を図４に示す。
【００５１】
光学系１は、第１の光学素子Ｌ１と、第２の光学素子Ｌ２と、第１の光学素子Ｌ１と第２の光学素子Ｌ２の間に配置された中間光学素子ＬＭと、絞りＳとからなる。
【００５２】
第１の光学素子Ｌ１は、中心軸２の周りで回転非対称な屈折率が１より大きい樹脂等からなり、遠方の物体面からの光束が入射し平面からなる第１透過面１１と、第１透過面１１に対して絞りＳと反対側に配置されたシリンドリカル面からなる第２透過面１２とを有する。
【００５３】
中間光学素子ＬＭは、中心軸２の周りで回転非対称な屈折率が１より大きい樹脂等からなり、第１の光学素子Ｌ１からの光束が入射しシリンドリカル面からなる第１中間透過面Ｍ１１と、第１中間透過面Ｍ１１に対して絞りＳと反対側に配置されたシリンドリカル面からなる第２中間透過面Ｍ１２とを有する。
【００５４】
第２の光学素子Ｌ２は、中心軸２の周りで回転非対称な屈折率が１より大きい樹脂等からなり、第１の光学素子Ｌ１からの光束が入射しシリンドリカル面からなる第３透過面２１と、第３透過面２１に対して絞りＳと反対側に配置された平面からなる第４透過面２２とを有する。
【００５５】
光学系１において、物体面から入射する光束は、まず絞りＳを通過し、第１の光学素子Ｌ１の第１透過面１１から入射し、第２透過面１２から出射した後、第１断面内の結像面ＩＦで結像し、中間光学素子ＬＭの第１中間透過面Ｍ１１から入射し、第２中間透過面Ｍ１２から出射した後、第２の光学素子Ｌ２の第３透過面２１から入射し、第４透過面２２から出射する。
【００５６】
この実施例２の仕様は、
画角（収差表示）      上下10°
入射瞳径              10.00mm
である。
【００５７】
実施例３の光学系１の第１の断面図を図５、光学系１の第２の断面図を図６に示す。
【００５８】
光学系１は、第１の光学素子Ｌ１と、第２の光学素子Ｌ２と、絞りＳとからなる。
【００５９】
第１の光学素子Ｌ１は、中心軸２の周りで回転非対称な屈折率が１より大きい樹脂等からなり、遠方の物体面からの光束が入射し球面からなる第１透過面１１と、第１透過面１１に対して絞りＳと反対側に配置されたトロイダル面からなる第２透過面１２とを有する。
【００６０】
第２の光学素子Ｌ２は、中心軸２の周りで回転非対称な屈折率が１より大きい樹脂等からなり、第１の光学素子Ｌ１からの光束が入射しトロイダル面からなる第３透過面２１と、第３透過面２１に対して絞りＳと反対側に配置された球面からなる第４透過面２２とを有する。
【００６１】
光学系１において、物体面から入射する光束は、まず第１の光学素子Ｌ１の第１透過面１１から入射し、第２透過面１２から出射した後、第１断面内の結像面ＩＦで結像し、第２の光学素子Ｌ２の第３透過面２１から入射し、第４透過面２２から出射し、絞りＳを通過する。
【００６２】
この実施例３の仕様は、
画角（収差表示）      上下10°
入射瞳径              10.00mm
である。
【００６３】
実施例４の光学系１の第１の断面図を図７、光学系１の第２の断面図を図８に示す。
【００６４】
光学系１は、第１の光学素子Ｌ１と、第２の光学素子Ｌ２と、絞りＳとからなる。
【００６５】
第１の光学素子Ｌ１は、中心軸２の周りで回転非対称な屈折率が１より大きい樹脂等からなり、遠方の物体面からの光束が入射し球面からなる第１透過面１１と、第１透過面１１に対して絞りＳと反対側に配置されたトロイダル面からなる第２透過面１２とを有する。
【００６６】
第２の光学素子Ｌ２は、中心軸２の周りで回転非対称な屈折率が１より大きい樹脂等からなり、第１の光学素子Ｌ１からの光束が入射しトロイダル面からなる第３透過面２１と、第３透過面２１に対して絞りＳと反対側に配置された球面からなる第４透過面２２とを有する。
【００６７】
光学系１において、物体面から入射する光束は、まず第１の光学素子Ｌ１の第１透過面１１から入射し、第２透過面１２から出射した後、第１断面内の結像面ＩＦで結像し、第２の光学素子Ｌ２の第３透過面２１から入射し、第４透過面２２から出射し、絞りＳを通過する。
【００６８】
この実施例４の仕様は、
画角（収差表示）      上下10°
入射瞳径              10.60mm×6.80mm
である。
【００６９】
実施例５の光学系１の第１の断面図を図９、光学系１の第２の断面図を図１０に示す。
【００７０】
実施例５は、実施例１の光学系の第１断面内の結像位置にプリズムシートＰＳを配置したものである。
【００７１】
光学系１は、第１の光学素子Ｌ１と、第２の光学素子Ｌ２と、プリズムシートＰＳと、絞りＳとからなる。
【００７２】
第１の光学素子Ｌ１は、中心軸２の周りで回転非対称な屈折率が１より大きい樹脂等からなり、遠方の物体面からの光束が入射し平面からなる第１透過面１１と、第１透過面１１に対して絞りＳと反対側に配置されたシリンドリカル面からなる第２透過面１２とを有する。
【００７３】
第２の光学素子Ｌ２は、中心軸２の周りで回転非対称な屈折率が１より大きい樹脂等からなり、第１の光学素子Ｌ１からの光束が入射しシリンドリカル面からなる第３透過面２１と、第３透過面２１に対して絞りＳと反対側に配置された平面からなる第４透過面２２とを有する。
【００７４】
プリズムシートＰＳは、溝の方向と第１断面を直交するように配置されている。これにより、第１断面内での瞳拡大が可能となる。
【００７５】
さらに好ましくは、プリズムシートＰＳのピッチは、撮像素子又は表示素子に結像又は投影されるピッチより細かくすることが望ましい。これにより、プリズムシートＰＳのピッチを目立たなくし、鮮明な像を形成することが可能となる。
【００７６】
光学系１において、物体面から入射する光束は、まず絞りＳを通過し、第１の光学素子Ｌ１の第１透過面１１から入射し、第２透過面１２から出射した後、プリズムシートＰＳに第１面ＰＳ１から入射し、第１断面内の結像面ＩＦで結像し、プリズムシートＰＳの第２面ＰＳ２から出射した後、第２の光学素子Ｌ２の第３透過面２１から入射し、第４透過面２２から出射する。
【００７７】
実施例６は、実施例１の光学系の第１断面内の結像位置にレンチキュラーシートＬＳを配置したものである。
【００７８】
光学系１は、第１の光学素子Ｌ１と、第２の光学素子Ｌ２と、レンチキュラーシートＬＳと、絞りＳとからなる。
【００７９】
第１の光学素子Ｌ１は、中心軸２の周りで回転非対称な屈折率が１より大きい樹脂等からなり、遠方の物体面からの光束が入射し平面からなる第１透過面１１と、第１透過面１１に対して絞りＳと反対側に配置されたシリンドリカル面からなる第２透過面１２とを有する。
【００８０】
第２の光学素子Ｌ２は、中心軸２の周りで回転非対称な屈折率が１より大きい樹脂等からなり、第１の光学素子Ｌ１からの光束が入射しシリンドリカル面からなる第３透過面２１と、第３透過面２１に対して絞りＳと反対側に配置された平面からなる第４透過面２２とを有する。
【００８１】
レンチキュラーシートＬＳは、溝の方向と第１断面を直交するように配置されている。これにより、第１断面内での瞳拡大が可能となる。
【００８２】
さらに好ましくは、レンチキュラーシートＬＳのピッチは、撮像素子又は表示素子に結像又は投影されるピッチより細かくすることが望ましい。これにより、レンチキュラーシートＬＳのピッチを目立たなくし、鮮明な像を形成することが可能となる。
【００８３】
光学系１において、物体面から入射する光束は、まず絞りＳを通過し、第１の光学素子Ｌ１の第１透過面１１から入射し、第２透過面１２から出射した後、レンチキュラーシートＬＳに第１面ＬＳ１から入射し、第１断面内の結像面ＩＦで結像し、レンチキュラーシートＬＳの第２面ＬＳ２から出射した後、第２の光学素子Ｌ２の第３透過面２１から入射し、第４透過面２２から出射する。
【００８４】
以下に、上記実施例１乃至実施例４の構成パラメータを示す。なお、実施例５及び実施例６は実施例１の結像面にそれぞれプリズムシートＰＳとレンチキュラーシートＬＳを配置したのみであり、構成パラメータを省略する。
【００８５】
実施例１
面番号  曲率半径                  面間隔  偏心      屈折率  アッベ数
物体面      ∞                      ∞
1        ∞(絞り)               50.00 
2        ∞                     10.00            1.5163    64.1
3    シリンドリカル面[1]       100.00
4        ∞(結像面)            100.00 
5    シリンドリカル面[2]        10.00            1.5163    64.1
6        ∞
シリンドリカル面[1] 
Ｘ方向曲率半径      ∞
Ｙ方向曲率半径    -50.00
シリンドリカル面[2] 
Ｘ方向曲率半径      ∞
Ｙ方向曲率半径     50.00
【００８６】
実施例２
面番号  曲率半径                  面間隔  偏心      屈折率  アッベ数
物体面      ∞                      ∞
1        ∞(絞り)               50.00 
2        ∞                     10.00            1.5163    64.1
3    シリンドリカル面[1]       100.00
4    シリンドリカル面[2]        10.00            1.5163    64.1
(結像面)
5    シリンドリカル面[3]       100.00
6    シリンドリカル面[4]        10.00            1.5163    64.1
7        ∞                    100.00
像  面      ∞
シリンドリカル面[1] 
Ｘ方向曲率半径      ∞
Ｙ方向曲率半径    -50.00
シリンドリカル面[2] 
Ｘ方向曲率半径      ∞
Ｙ方向曲率半径    100.00
シリンドリカル面[3] 
Ｘ方向曲率半径      ∞
Ｙ方向曲率半径   -100.00
シリンドリカル面[4] 
Ｘ方向曲率半径      ∞
Ｙ方向曲率半径     50.00
【００８７】
実施例３
面番号  曲率半径                  面間隔  偏心      屈折率  アッベ数
物体面      ∞                      ∞
1       45.00                   10.00            1.5163    64.1
2    Ｙトロイダル面[1]          80.00
3        ∞(結像面)             80.00
4    Ｙトロイダル面[2]          10.00            1.5163    64.1
5        ∞(絞り)               50.00 
像  面      0.00
Ｙトロイダル面[1] 
Ｘ方向曲率半径      ∞
Ｙ方向曲率半径     20.00
Ｙトロイダル面[2] 
Ｘ方向曲率半径     48.00
Ｙ方向曲率半径    100.00
【００８８】
実施例４
面番号  曲率半径                  面間隔  偏心      屈折率  アッベ数
物体面      ∞                      ∞
1        ∞                     50.00
2       45.00                   10.00            1.5163    64.1
3      Ｙトロイダル面[1]        80.00
4        ∞(結像面)             80.00 
5      Ｙトロイダル面[2]        10.00            1.5163    64.1
6      -30.00(絞り)             50.00 
像  面      0.00
Ｙトロイダル面[1] 
Ｘ方向曲率半径      ∞
Ｙ方向曲率半径     20.00
Ｙトロイダル面[2] 
Ｘ方向曲率半径     44.00
Ｙ方向曲率半径    120.00
【００８９】
次に、上記各実施例における各種データの値を示す。
【００９０】
各種データ        実施例１    実施例２    実施例３    実施例４
β１               -0.989      -0.90552    -1.015 
β２                1           1           2.937 
Ｆ１                                                   -6.673 
Ｆ２                                                   19.348
ｆ１               96.837      96.837 
ｆ２               96.837      96.837 
ｄ                200         210
ｄ／（ｆ１＋ｆ２）  1.032663    1.084296
【符号の説明】
【００９１】
１…光学系
２…中心軸
ＩＦ…結像面
Ｌ１…第１の光学素子
Ｌ２…第２の光学素子
ＬＭ…中間光学素子
ＬＳ…レンチキュラーシート
ＰＳ…プリズムシート
Ｓ…絞り
【図１】
2011128328.tif 000003
【図２】
2011128328.tif 000004
【図３】
2011128328.tif 000005
【図４】
2011128328.tif 000006
【図５】
2011128328.tif 000007
【図６】
2011128328.tif 000008
【図７】
2011128328.tif 000009
【図８】
2011128328.tif 000010
【図９】
2011128328.tif 000011
【図１０】
2011128328.tif 000012
【図１１】
2011128328.tif 000013
【図１２】
2011128328.tif 000014